(57)【要約】【課題】携帯端末で自分が選択した情報を容易に識別し選択した情報を容易に取得する情報表示システムを提供する。【解決手段】複数のコンテンツを表示する情報表示端末と携帯端末とを備えた情報表示システムであって、情報表示端末は、複数のコンテンツに対する操作を検知する操作検知部と、操作が検知されたコンテンツを識別する識別情報を含む送信情報を送信する送信部と、複数のコンテンツ情報を表示し、操作が検知されたコンテンツの表示内容を識別情報に基づき変更する表示部と、を備え、携帯端末は、送信情報を受信する受信部と、受信した送信情報に含まれる識別情報に基づき選択肢を表示する第２の表示部と、第２の表示部において選択された識別情報を有する送信情報を基にコンテンツに関連する情報を前記第２の表示部に表示する制御部と、を備える。【選択図】図２
2017027185.tif 000002
【特許請求の範囲】
【請求項１】
複数のコンテンツを表示する情報表示端末と携帯端末とを備えた情報表示システムであって、
前記情報表示端末は、
前記複数のコンテンツに対する操作を検知する操作検知部と、
前記操作が検知されたコンテンツを識別する識別情報を含む送信情報を送信する送信部と、
前記複数のコンテンツ情報を表示し、前記操作が検知されたコンテンツの表示内容を前記識別情報に基づき変更する表示部と、を備え、
前記携帯端末は、
前記送信情報を受信する受信部と、
前記受信した送信情報に含まれる前記識別情報に基づき選択肢を表示する第２の表示部と、
前記第２の表示部において前記選択された識別情報を有する送信情報を基に前記コンテンツに関連する情報を前記第２の表示部に表示する制御部と、を備えた情報表示システム。
【請求項２】
前記識別情報は、色情報であり、前記第２の表示部に色を表示し、前記第１の表示部は操作が検知されたコンテンツに合わせて同じ色を表示する請求項１に記載の情報表示システム。
【請求項３】
前記送信部は、光ＩＤ通信を用いて行う請求項１に記載の情報表示システム。
【請求項４】
前記送信部は、前記第１の表示部のバックライトである請求項３に記載の情報表示システム。
【発明の詳細な説明】
【技術分野】
【０００１】
本開示は、携帯端末に特定のコンテンツを表示する情報表示システムに関する。
【背景技術】
【０００２】
特許文献１は、ディスプレイに表示された複数の情報の中から携帯端末をかざして受け取り動作を行うと特定の情報を受信する。これにより、簡単な操作により特定の情報を受信することができる。
【先行技術文献】
【特許文献】
【０００３】
【特許文献１】特開２０１４−３５６５７号公報
【発明の概要】
【発明が解決しようとする課題】
【０００４】
しかしながら、複数人で操作していた場合、選択されたそれぞれの情報と転送する携帯端末とが紐付けされてないため、自分が選択した情報と他人の選択した情報とを識別しにくい問題があった。
【０００５】
本開示は、携帯端末で自分が選択した情報を容易に識別し選択した情報を容易に取得することができる情報表示システムを提供することを目的とする。
【課題を解決するための手段】
【０００６】
本開示における情報表示システムは、複数のコンテンツを表示する情報表示端末と携帯端末とを備えた情報表示システムであって、情報表示端末は、複数のコンテンツに対する操作を検知する操作検知部と、操作が検知されたコンテンツを識別する識別情報を含む送信情報を送信する送信部と、複数のコンテンツ情報を表示し、操作が検知されたコンテンツの表示内容を識別情報に基づき変更する表示部と、を備え、携帯端末は、送信情報を受信する受信部と、受信した送信情報に含まれる識別情報に基づき選択肢を表示する第２の表示部と、第２の表示部において選択された識別情報を有する送信情報を基にコンテンツに関連する情報を前記第２の表示部に表示する制御部と、を備える。
【発明の効果】
【０００７】
本開示における情報表示システムは、携帯端末で自分が選択した情報を容易に識別し選択した情報を容易に取得することができる。
【図面の簡単な説明】
【０００８】
【図１】実施の形態１における情報表示システムの概略図
【図２】実施の形態１における情報表示システムの構成図
【図３】実施の形態１における携帯端末のブロック図
【図４】実施の形態１における情報表示システムの動作シーケンス図
【図５】実施の形態１における情報表示端末のタッチ操作の概念図
【図６】実施の形態１における情報表示端末のタッチ操作後の概念図
【図７】実施の形態１における光ＩＤ信号の送信データの概略図
【図８】実施の形態１における情報表示システムのデータ取得の概念図
【図９】実施の形態１おける携帯端末の表示の概念図
【図１０】実施の形態１における光ＩＤ信号の概念図
【図１１】実施の形態２における情報表示システムの構成図
【図１２】実施の形態２における情報表示端末の表示概念図
【図１３】実施の形態２における光ＩＤ信号の概念図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、添付図面および以下の説明は、当業者が本開示を十分に理解するために、提供されるのであって、これらにより特許請求の範囲に記載の主題を限定することは意図されていない。
【００１１】
（実施の形態１）
以下、図１〜１１を用いて、実施の形態１を説明する。
【００１２】
［１−１．構成］
図１は、実施の形態１における情報表示システムの概略図である。なお、本実施の形態では、ユーザは２人としているが、何人であっても構わない。
【００１３】
図１において、情報表示システム１００は、情報表示端末１０１、携帯端末１１１により構成される。図１において、携帯端末１１１は、ユーザＡ、ユーザＢがそれぞれ保持しており、ユーザＡが携帯端末１１１ａ、ユーザＢが携帯端末１１１ｂを保持している。なお、以降の説明で携帯端末１１１ａと携帯端末１１１ｂを区別しない場合には携帯端末１１１として説明する。
【００１４】
情報表示端末１０１は、ディスプレイ１０２、その上に一体構成されたマルチタッチ入力可能なタッチパネル１０３、ディスプレイ１０２の上部に設置された光ＩＤデータ送信装置１０４とから構成される。
【００１５】
ディスプレイ１０２には、複数のコンテンツ情報１０５（１０５ａ、１０５ｂ）が表示されており、タッチパネル１０３によりそれぞれのコンテンツ情報１０５に対してタッチ操作が可能になっている。コンテンツ情報１０５についても携帯端末１１１と同様に、以降の説明で特にコンテンツ情報１０５を区別しない場合には、コンテンツ情報１０５として説明する。
【００１６】
コンテンツ情報１０５は、設置場所によって種々の情報が考えられる。例えば、情報表示端末１０１を駅構内に設置する場合、コンテンツ情報１０５は、レストランや各種ショップに関する情報であり、構内マップを背景に、写真、動画、文字等で構成された情報が配置される。
【００１７】
なお、このコンテンツ情報１０５は、タッチパネル１０３を介して、ユーザが表示位置を変更したり、拡大縮小したりすることが可能である。
【００１８】
光ＩＤデータ送信装置１０４は、光源の輝度（明暗）の差を利用して光ＩＤデータを光ＩＤ信号として送信する装置であり、可視光ＬＥＤを利用しており、光ＩＤデータの受信は、携帯端末１１１で撮影することで行われる。
【００１９】
携帯端末１１１は、スマートフォン、タブレット等のそれぞれのユーザが所持する携帯端末である。
【００２０】
情報表示システム１００の構成、特に情報表示端末１０１の構成について、図２を用いて説明する。図２は、実施の形態１における情報表示システムの構成図である。
【００２１】
図２に示すように、情報表示端末１０１において、ディスプレイ１０２、タッチパネル１０３、光ＩＤデータ送信装置１０４が、ＰＣ等の制御装置１０６に接続されている。また、制御装置１０６はコンテンツ情報１０５に関連する情報を有するサーバ１０７にネットワーク１０８を介して接続されている。
【００２２】
制御装置１０６は、サーバ１０７から複数のコンテンツ情報１０５とそれぞれのコンテンツ情報１０５に関連付けられた送信情報（光ＩＤデータ、詳細は後述）を取得し、取得したコンテンツ情報１０５を含む情報（表示内容）をディスプレイ１０２に送信する。
【００２３】
また、制御装置１０６は、タッチパネル１０３でタッチされた位置情報を取得し、その位置情報とディスプレイ１０２に表示する内容とを基にどのコンテンツ情報１０５がタッチされたかを検知する。
【００２４】
制御装置１０６はさらに、そのタッチされたコンテンツ情報１０５に関連づけられた光ＩＤデータを光ＩＤデータ送信装置１０４に送信すると同時に、タッチしたコンテンツが分かるように表示内容に反映させ、その反映させた表示内容をディスプレイ１０２に送信する。この表示内容の変更は、光ＩＤデータを基に行われる。
【００２５】
光ＩＤデータ送信装置１０４は、受信した光ＩＤデータを光ＩＤ信号として可視光にて送信する。
【００２６】
携帯端末１１１は、この可視光を撮影することで光ＩＤデータを取得し、その光ＩＤデータに含まれるデータを、ネットワーク１０８を介してサーバ１０７に送信し、コンテンツ情報１０５に関連する子コンテンツ情報を携帯端末１１１に送信し、携帯端末１１１は、その受信した子コンテンツ情報を表示する。
【００２７】
サーバ１０７には、コンテンツ情報１０５と、光ＩＤデータと、コンテンツ情報に関連する子コンテンツ情報とを関連付けて保存している。
【００２８】
なお、子コンテンツ情報は、それぞれのコンテンツ情報１０５に関連づけられたデータであり、同じ内容であってもよいし、コンテンツ情報１０５の追加情報や詳細情報であってもよい。例えば、コンテンツ情報１０５がレストランの概要に関するものであれば、子コンテンツ情報は、メニュー、予約画面、空席確認、クーポン、地図等の情報となる。
【００２９】
次に、携帯端末１１１の構成について図３を用いて説明する。図３は、実施の形態１における携帯端末のブロック図である。
【００３０】
携帯端末１１１は、図３に示すように、全体を制御するプロセッサ１１２、ディスプレイ１１３、タッチパネル１１４、被写体の撮像や光ＩＤデータを受信するカメラ１１５、無線通信回路１１６、マイク１１７から構成される。
【００３１】
上記のように構成された携帯端末１１１は、カメラ１１５にて光ＩＤ信号を受信し、無線通信回路１１６を介して、サーバ１０７からコンテンツ情報１０５に関連する情報を取得する。
【００３２】
［１−２．動作］
以上のように構成された情報表示システム１００の動作について、図４〜図９を用いて説明する。なお、上述したように本実施の形態では、ユーザ２人（携帯端末１１１が２つ）の場合を例に説明する。
【００３３】
図４は、実施の形態１における情報表示システムの動作シーケンス図、図５は、実施の形態１における情報表示端末のタッチ操作の概念図、図６は、実施の形態１における情報表示端末のタッチ操作後の概念図、図７は、実施の形態１における光ＩＤ信号の送信データの概略図、図８は、実施の形態１における情報表示システムのデータ取得の概念図、図９は、実施の形態１おける携帯端末の表示の概念図である。
【００３４】
図４において、まず、図１のように、ユーザが情報表示端末１０１を見ているときに、ユーザがディスプレイ１０２に表示されている内容を取得したいときに、画面をタッチすると、情報表示端末１０１は、タッチパネル１０３を介して、ユーザの操作を検知し、ユーザが操作したコンテンツ情報１０５を特定する（Ｓ１）。
【００３５】
具体的には、それぞれのユーザは、自分がほしいデータ、つまり図５においては、ユーザＡがコンテンツ情報１０５ａ、ユーザＢがコンテンツ情報１０５ｂを取得するために、それぞれ図５に示すように、コンテンツ情報１０５内の指定の場所（図５におけるＧｅｔの部分）をタッチする（取得操作を行う）。情報表示端末１０１は、このタッチを検知してＳ１におけるコンテンツ情報１０５の特定を行う。
【００３６】
次に、情報表示端末１０１は、サーバ１０７から受信した光ＩＤデータを基に検知したコンテンツ情報１０５の表示内容を変更する（Ｓ２）。表示内容の変更としては、例えば、図６（ａ）に示すように、ユーザがタッチしたコンテンツ情報１０５に関して、外周を特定の色で囲むことで、ユーザがタッチしたコンテンツ情報１０５を明示的に表示する。このとき、より分かりやすいように、囲んだ部分を点滅させることが好ましい。
【００３７】
なお、コンテンツ情報１０５ａはＣ１（例えば赤）で囲み、コンテンツ情報１０５ｂはＣ２（例えば青）で囲むように行うが、図６（ａ）では、色Ｃ１を斜線、色Ｃ２を格子で示し、以降の図も同様とする。
【００３８】
また、他の例としては、図６（ｂ）、図６（ｃ）のようにすることができ、図６（ｂ）においては、コンテンツ情報１０５全体にコンテンツ情報１０５毎に異なる色を塗った場合であり、図６（ｃ）は、特定のマークをコンテンツ情報１０５毎に異なる色で表示した場合である。
【００３９】
図６（ｂ）において、コンテンツ情報１０５全体を色で塗っているが、どのコンテンツか分かるようにしている。また、図示しないが、“スマホをかざしてください”、“マークに向かってかざしてください”等の文字をコンテンツ情報の上に重ねて表示することもできる。
【００４０】
図６（ｃ）において、特定のマークを表示して、そのマークの色を変えるようにしているが、コンテンツ情報１０５毎に異なるマークの形状を利用してもよい。
【００４１】
上記Ｓ２の表示内容の変更に合わせて、情報表示端末１０１は、Ｓ１で特定したコンテンツ情報１０５ａ、１０５ｂに関連する光ＩＤデータを光ＩＤ信号として光ＩＤデータ送信装置１０４にて送信する（Ｓ３）。
【００４２】
ここで、光ＩＤデータ送信装置１０４にて送信する光ＩＤデータに関して、具体的には、図７に示すようなデータの０、１を光ＩＤデータ送信装置１０４の輝度を制御してデータを送信する。送信する光ＩＤデータには、すべてのユーザが選択したコンテンツ情報１０５に関するデータがすべて含まれており、本実施の形態では、ユーザＡが選択したコンテンツ情報１０５ａに関連するデータＩＤ−１とユーザＢが選択したコンテンツ情報１０５ｂに関連するデータＩＤ−２が含まれる。
【００４３】
ＩＤ−１、ＩＤ−２は、それぞれ情報表示端末１０１で視覚的に表示した内容を示すヘッダ情報（本実施形態では色情報Ｃ１またはＣ２）と、ユーザが詳細情報や追加情報を取得するため識別番号等のリンクデータにより構成される。
【００４４】
ここで、図７のようにして、２つのＩＤデータをまとめて送信する理由について説明する。携帯端末１１１はタッチしたユーザと紐付けられていないため、それぞれのユーザが別々にコンテンツ情報１０５にタッチした場合、タッチしたユーザが所有する携帯端末１１１に直接送信することができない。そのため、機器を特定せずに送信できるようにタッチされたコンテンツ情報１０５をまとめて送信している。
【００４５】
なお、このデータは繰り返し送信するため、携帯端末１１１に表示する内容そのものを送るのではなく、上記のようにリンクデータを送信している。
【００４６】
なお、本実施形態では、１回の送信時間を短くするために子コンテンツ情報そのものではなく、リンクデータを送信しているが、子コンテンツ情報を送信してもよい。
【００４７】
この光ＩＤ信号は所定時間のみ送信され、所定時間経過すると光ＩＤの送信を停止するとともに、ディスプレイ１１３の表示をコンテンツ情報１０５のみの元の状態に戻す（Ｓ４）。
【００４８】
ユーザは、ディスプレイ１０２の表示が変化すると、図８に示すように、ユーザは携帯端末１１１のアプリ等を起動し、光ＩＤデータ送信装置１０４の方向に自身の携帯端末１１１を向ける。
【００４９】
これによって、携帯端末１１１は、光ＩＤデータ送信装置１０４からカメラ１１５を用いて図７に示すデータを取得し、携帯端末１１１のディスプレイ１１３に、図９に示すようなあらかじめアプリ側、つまり携帯端末１１１で保持しているリスト、つまりＣ１、Ｃ２を表示する（Ｓ５、Ｓ１１）。
【００５０】
このあらかじめ携帯端末１１１で保持しているリストは、図７に示したヘッダ情報と対応づけられている。つまり、情報表示端末１０１で視覚的に表示した内容と対応付けられていることで、ユーザは自分の選択した情報を容易に選択することができる。
【００５１】
なお、このリストは、あらかじめ保持していてもよいし、光ＩＤデータのヘッダ情報を読み取ることにより、携帯端末１１１に表示してもよい。
【００５２】
ここで、携帯端末１１１ａを持つユーザＡに着目すると、Ｓ５のち、ユーザは、情報表示端末１０１におけるコンテンツ情報１０５ａに表示されている色、図９の２つの色Ｃ１、Ｃ２の内Ｃ１を選択する。
【００５３】
携帯端末１１１ａは、そのユーザの操作を検知し（Ｓ６）、タッチされた色を基に、受信した光ＩＤ信号のヘッダ情報が一致するリンクデータを抽出する。つまり、ヘッダ情報がＣ１であるＩＤ−１のリンクデータを抽出する。
【００５４】
そして、携帯端末１１１ａは、その抽出したリンクデータをサーバ１０７に送信し（Ｓ８）、サーバ１０７は、そのリンクデータに関連する関連データを携帯端末１１１ａに送信する。
【００５５】
携帯端末１１１ａその受信したデータを携帯端末１１１のディスプレイ１１３に表示する（Ｓ１０）。具体的には、上述したように詳細情報や追加情報を表示する。
【００５６】
なお、ユーザＡとは独立してユーザＢの自身の所有する携帯端末１１１ｂにて操作を行い、サーバ１０７からデータを受信し携帯端末１１１ｂに表示させるが（Ｓ１２〜Ｓ１６）、ユーザＡと同じ動作であるため説明は省略する。
【００５７】
ここで、光ＩＤ信号の送信内容と送信時間の関係について図１０を用いて、詳細に説明する。図１０は、実施の形態１における光ＩＤ信号の概念図である。
【００５８】
上述した表示を変更、光ＩＤ信号の送信の開始から所定時間は、コンテンツ情報毎に定められており、図１０（ａ）に示すようにコンテンツ情報１０５ａ、１０５ｂの操作が同時検知された場合、検知前には光ＩＤ信号は送信せず、検知された後、所定時間Ｔの間、図７で示したデータが光ＩＤ信号として送信される。
【００５９】
一方、コンテンツ情報１０５ａ、１０５ｂの操作が同時ではない場合、図１０（ｂ）に示すように、コンテンツ情報１０５ａの操作が先に検知されると、光ＩＤデータ送信装置１０４からコンテンツ情報１０５ａのみの情報、つまりＩＤ−１が光ＩＤ信号として送信される。
【００６０】
そしてＩＤ−１が送信中に、コンテンツ情報１０５ｂの操作を検知した場合、光ＩＤ信号は、図７に示すようにＩＤ−１、ＩＤ−２を２つ合わせて送信する。
【００６１】
その後、コンテンツ情報１０５ａの操作が検知されてから所定時間Ｔが経過すると、光ＩＤ信号は、ＩＤ−２の情報のみとなり、ＩＤ−２の情報もコンテンツ情報１０５ｂの操作が検知されてから所定時間Ｔ経過すると送信が終了する。
【００６２】
このとき、情報表示端末１０１のディスプレイ１１３の表示内容は、送信と同じタイミングで行っているため、送信が停止されると表示内容も元に戻る。
【００６３】
なお、上記所定時間Ｔは、コンテンツ情報１０５毎に異なっていてもよい。
【００６４】
［１−３．効果等］
以上のように、情報表示端末１０１と携帯端末１１１とから構成される情報表示システム１００を利用するユーザは、他ユーザが取得操作を行っていても、自分が取得操作を行ったコンテンツ情報１０５を容易に識別することができるため、他のユーザの操作に影響を与えられることなく、自分が必要な情報だけを情報表示端末１０１から携帯端末１１１に取得して表示することができる。
【００６５】
（実施の形態２）
以下、図１１〜１３を用いて、実施の形態２を説明する。なお、実施の形態２は、光ＩＤデータ送信装置の機能をディスプレイに搭載したものであり、他の部分は実施の形態１と同じであるため説明は省略する。
【００６６】
［２−１．構成］
実施の形態２における情報表示システムの構成について、図１１を用いて説明する。図１１は、実施の形態２における情報表示システムの構成図である。
【００６７】
図１１に示すように、情報表示端末２０１のディスプレイ２０２は、１６個のバックライト２０３ａ〜バックライト２０３ｐを備えており、このバックライト２０３ａ〜バックライト２０３ｐを光ＩＤデータ通信に用いる。以降の説明で、バックライト２０３ａ〜バックライト２０３ｐを区別しない場合にはバックライト２０３として説明する。なお、本実施の形態では、バックライト２０３が１６個に分割されているが分割数はいくつでもよく、分割されていなくともよい。
【００６８】
制御装置１０６はバックライト２０３ａ〜バックライト２０３ｐを個別に制御を行い、個別の制御は実施の形態１と同じである。
【００６９】
［２−２．動作］
実施の形態２における情報表示システムの動作について、図１２〜図１３を用いて説明する。図１２は、実施の形態２における情報表示端末の表示概念図、図１３は、実施の形態２における光ＩＤ信号の概念図である。
【００７０】
ディスプレイ２０２において、表示エリア毎にバックライト２０３が配置されている。このとき、コンテンツ情報１０５は、ディスプレイ２０２内を自由に移動可能であるため、表示位置によっては、図１２に示すようにコンテンツ情報１０５（１０５ｃ、１０５ｄ）が複数の表示エリア、つまり複数のバックライト２０３にまたがることがある。
【００７１】
この時、光ＩＤデータは、バックライト２０３毎にデータが異なり、図１３に示すようになる。
【００７２】
具体的には、２つのコンテンツ情報１０５が表示されている領域にあるバックライト２０３ｋは、図１３の上段の光ＩＤデータが送信される。つまり、ＩＤ−３（コンテンツ情報１０５ｃに関連するデータ）、ＩＤ−４（コンテンツ情報１０５ｄに関連するデータ）の両方が送信される。
【００７３】
これに対して、コンテンツ情報１０５ｃのみが表示されている領域にあるバックライト２０３ｆ、バックライト２０３ｇ、バックライト２０３ｊは、図１３の中段に示すようにＩＤ−３のみが送信される。
【００７４】
また、コンテンツ情報１０５ｄのみが表示されている領域にあるバックライト２０３ｌ、バックライト２０３ｏ、バックライト２０３ｐは、図１３の下段に示すようにＩＤ−４のみが送信される。
【００７５】
上記以外のバックライト２０３は、光ＩＤ信号を送信する必要がないため、バックライト２０３として通常の動作を行う。
【００７６】
なお、光ＩＤデータの送信タイミングは、すべてのバックライト２０３で同期しており、図１３に示されるｔは１回の光ＩＤデータの送信時間である。
【００７７】
このとき、隣接するバックライト２０３が異なるデータを送信していると、光ＩＤ信号同士で干渉し、携帯端末１１１で光ＩＤデータの受信が困難になるため、光ＩＤデータのデータ量が多いデータ（図１３においてはバックライト２０３ｋのデータ）の送信するＩＤ−３、ＩＤ−４のタイミングに合わせて他のバックライト２０３の送信を行い、光ＩＤ信号の干渉が起きないようにしている。
【００７８】
［２−３．効果等］
以上のように、バックライト２０３を用いて行うことで実施の形態１と同様に、情報表示端末１０１と携帯端末１１１とから構成される情報表示システム１００を利用するユーザは、他ユーザが取得操作を行っていても、自分が取得操作を行ったコンテンツ情報１０５を容易に識別することができるため、他のユーザの操作に影響を与えられることなく、自分が必要な情報だけを情報表示端末１０１から携帯端末１１１に取得して表示することができる。
【００７９】
（他の実施の形態）
以上のように、本出願において開示する技術の例示として、実施の形態１、実施の形態２を説明した。しかしながら、本開示における技術は、これに限定されず、変更、置き換え、付加、省略などを行った実施の形態にも適用できる。また、上記実施の形態１、実施の形態２で説明した各構成要素を組み合わせて、新たな実施の形態とすることも可能である。そこで、以下、他の実施の形態を例示する。
【００８０】
実施の形態１、実施の形態２では、複数人での操作として２人を想定したが、３人もしくはそれ以上であっても構わない。一例として３人での同時操作に対応する場合には、情報表示端末１０１では、例えば黄色等の第３の色Ｃ３を利用して、携帯端末１１１にＣ１〜Ｃ３を表示することで対応可能である。
【００８１】
また、実施の形態１、実施の形態２では、タッチ操作を、コンテンツ情報１０５を取得するための操作としたが、スイッチ、ジェスチャー入力等のコンテンツ情報を選択できるものであればこれに限らない。
【００８２】
また、情報表示端末１０１は、タッチ操作が可能なディスプレイ等、一体であっても別体であってもよい。
【００８３】
また、実施の形態１、実施の形態２では、情報表示端末１０１、２０１と携帯端末１１１とのデータ通信に光ＩＤ通信を用いた場合について説明したが、音波や各種無線通信を使ったデータ通信でも構わない。音波を利用する場合には情報表示端末１０１の音波発信装置から携帯端末１１１に搭載されているマイク１１７を利用してデータを受信できる。一方、各種無線通信、例えばＷｉ−Ｆｉ等を利用する場合も同様に、携帯端末１１１に一般的に搭載されているものを利用してデータを受信できる。
【００８４】
なお、実施の形態２に示すように、ディスプレイ２０２の表示エリア毎に光ＩＤ通信を分けた場合、指向性の強い通信手段、例えば実施の形態２のように光ＩＤを用いたほうが好ましい。
【００８５】
また、ヘッダ情報としては、色情報を例に挙げたが、コンテンツ情報１０５の内容に対応した文字等の情報であってもよい。
【００８６】
なお、上述の実施の形態は、本開示における技術を例示するためのものであるから、特許請求の範囲またはその均等の範囲において種々の変更、置き換え、付加、省略などを行うことができる。
【産業上の利用可能性】
【００８７】
本開示は駅、レストラン街、ショッピングモール等に設置するデジタルサイネージに適用可能である。
【符号の説明】
【００８８】
１００  情報表示システム
１０１、２０１  情報表示端末
１０２、１１３、２０２  ディスプレイ
１０３、１１４  タッチパネル
１０４  光ＩＤデータ送信装置
１０５  コンテンツ情報
１０６  制御装置
１０７  サーバ
１１１  携帯端末
１１２  プロセッサ
１１５  カメラ
１１６  無線通信回路
１１７  マイク
２０３  バックライト
【図１】
2017027185.tif 000003
【図２】
2017027185.tif 000004
【図３】
2017027185.tif 000005
【図４】
2017027185.tif 000006
【図５】
2017027185.tif 000007
【図６】
2017027185.tif 000008
【図７】
2017027185.tif 000009
【図８】
2017027185.tif 000010
【図９】
2017027185.tif 000011
【図１０】
2017027185.tif 000012
【図１１】
2017027185.tif 000013
【図１２】
2017027185.tif 000014
【図１３】
2017027185.tif 000015